(57)【特許請求の範囲】
【請求項１】
進化型NodeB(eNB)であって、
通信帯域を第1のカテゴリーの通信のための第1の区分及び第2のカテゴリーの通信のための第2の区分に区分する論理回路であって、前記第1の区分は第1の制御チャネルフォーマットと関連し、前記第2の区分は第2の制御チャネルフォーマットと関連する、論理回路と、
前記論理回路と接続されるトランシーバ回路とを含み、該トランシーバ回路は、
前記第1の区分を介して第1の複数のユーザ機器(UE)に前記第1の制御チャネルフォーマットで第1の接続情報を送信して、前記第1の複数のユーザ機器(UE)が前記第1の区分を介して当該進化型NodeB(eNB)との通信を確立するのを可能とし、前記第1の複数のユーザ機器(UE)は、前記第1のカテゴリーの通信のために構成され、
前記第2の区分を介して第2の複数のユーザ機器(UE)に第2の制御チャネルフォーマットで第2の接続情報を送信して、前記第2の複数のユーザ機器(UE)が前記第2の区分を介して当該進化型NodeB(eNB)との通信を確立するのを可能とし、前記第2の複数のユーザ機器(UE)は、前記第2のカテゴリーの通信のために構成され、
前記第1の接続情報は第1のシステム情報ブロック1(SIB1)を含み、前記第2の接続情報は第2のシステム情報ブロック1(SIB1)を含み、前記第1のシステム情報ブロック1(SIB1)は、前記第2の複数のユーザ機器(UE)が前記第1の接続情報を構文解析することが可能となるのを防止するように構成され、前記第2のシステム情報ブロック1(SIB1)は、前記第1の複数のユーザ機器(UE)が前記第2の接続情報を構文解析することが可能となるのを防止するように構成され、前記第1の複数のユーザ機器(UE)は、前記第2の区分に対するアクセスを制限されるように構成され、前記第2の複数のユーザ機器(UE)のうちのユーザ機器(UE)のために、セカンダリーサービングセルが前記第1の区分の中に形成されていない場合に、前記第2の複数のユーザ機器(UE)は、前記第1の区分に対するアクセスを制限されるように構成される、
進化型NodeB(eNB)。
【請求項２】
前記第2の接続情報は、前記第1の区分のリソース情報を含むとともに前記第1の区分の中にセカンダリーサービングセルを指定し、前記論理回路は、さらに、クロスキャリアスケジューリングにより前記第2の区分の中のプライマリーサービングセルによって、前記第1の区分の中の前記セカンダリーサービングセルをスケジューリングするように構成される、請求項１に記載の進化型NodeB(eNB)。
【請求項３】
前記第1の複数のユーザ機器(UE)は第1のアクセスクラスと関連し、前記第2の複数のユーザ機器(UE)は1つ又は複数の追加のアクセスクラスと関連する、請求項1に記載の進化型NodeB(eNB)。
【請求項４】
前記第1の接続情報はアクセスクラス除外パラメータを定義し、前記アクセスクラス除外パラメータは、前記1つ又は複数の追加のアクセスクラスを利用して、前記第2の複数のユーザ機器(UE)が前記第1の区分を介して当該進化型NodeB(eNB)との通信を確立するのを防止し、前記第2の接続情報はアクセスクラス除外パラメータを定義し、前記アクセスクラス除外パラメータは、前記第1のアクセスクラスを利用して、前記第1の複数のユーザ機器(UE)が前記第2の区分を介して当該進化型NodeB(eNB)との通信を確立するのを防止する、請求項3に記載の進化型NodeB(eNB)。
【請求項５】
前記第1の複数のユーザ機器(UE)は、前記第2の複数のユーザ機器(UE)よりも相対的により低いコストのユーザ機器(UE)であり、前記第1の制御チャネルフォーマットは相対的により低いコストのユーザ機器(UE)のために設計される、請求項1に記載の進化型NodeB(eNB)。
【請求項６】
前記第1の制御チャネルフォーマットは、前記第2の複数のユーザ機器(UE)が前記第1の区分を介して前記進化型NodeB(eNB)との通信を確立するのを防止するように設計され、前記第2の制御チャネルフォーマットは、前記第1の複数のユーザ機器(UE)が前記第2の区分を介して前記進化型NodeB(eNB)との通信を確立するのを防止するように設計される、請求項５に記載の進化型NodeB(eNB)。
【請求項７】
前記第1のシステム情報ブロック1(SIB1)のフォーマットは、前記第2の複数のユーザ機器(UE)が前記第1の区分を介して当該進化型NodeB(eNB)との通信を確立するのを防止するように構成され、前記第2のシステム情報ブロック1(SIB1)のフォーマットは、前記第1の複数のユーザ機器(UE)が前記第2の区分を介して当該進化型NodeB(eNB)との通信を確立するのを防止するように構成される、請求項５に記載の進化型NodeB(eNB)。
【請求項８】
前記第1のカテゴリーの通信は、前記第2のカテゴリーの通信よりも相対的により低いコストの実装のために設計されるマシン型通信(MTC)であり、前記第1の複数のユーザ機器(UE)は、すべてが、前記相対的により低いコストの実装のために設計されるマシン型通信(MTC)ユーザ機器(UE)である、請求項１乃至７のいずれか１項に記載の進化型NodeB(eNB)。
【請求項９】
方法であって、
進化型NodeB(eNB)によって第1の区分を介して第1の複数のユーザ機器(UE)に第1の無線インターフェイスを通じて第1の接続情報を送信するステップであって、前記第1の区分は、第1のカテゴリーの通信と関連し、前記第1の接続情報は、前記第1の複数のユーザ機器(UE)が前記第1の区分を介して前記進化型NodeB(eNB)との通信を確立することを可能とするように構成される、第1の接続情報を送信するステップと、
前記進化型NodeB(eNB)によって第2の区分を介して第2の複数のユーザ機器(UE)に第2の無線インターフェイスを通じて第2の接続情報を送信するステップであって、前記第2の区分は、第2のカテゴリーの通信と関連し、前記第2の接続情報は、前記第2の複数のユーザ機器(UE)が前記第2の区分を介して前記進化型NodeB(eNB)との通信を確立することを可能とするように構成される、第2の接続情報を送信するステップとを含み、
前記第1の接続情報は第1のシステム情報ブロック1(SIB1)を含み、前記第2の接続情報は第2のシステム情報ブロック1(SIB1)を含み、前記第1のシステム情報ブロック1(SIB1)は、前記第2の複数のユーザ機器(UE)が前記第1の接続情報を構文解析することが可能となるのを防止するように構成され、前記第2のシステム情報ブロック1(SIB1)は、前記第1の複数のユーザ機器(UE)が前記第2の接続情報を構文解析することが可能となるのを防止するように構成され、前記第1の複数のユーザ機器(UE)は、前記第2の区分に対するアクセスを制限されるように構成され、前記第2の複数のユーザ機器(UE)のうちのユーザ機器(UE)のために、セカンダリーサービングセルが前記第1の区分の中に形成されていない場合に、前記第2の複数のユーザ機器(UE)は、前記第1の区分に対するアクセスを制限されるように構成される、
方法。
【請求項１０】
前記第2の接続情報は、前記第1の区分のリソース情報を含むとともに前記第1の区分の中にセカンダリーサービングセルを指定し、当該方法は、前記進化型NodeB(eNB)によってクロスキャリアスケジューリングにより前記第2の区分の中のプライマリーサービングセルによって、前記第1の区分の中の前記セカンダリーサービングセルをスケジューリングするステップをさらに含む、請求項９に記載の方法。
【請求項１１】
前記第1の複数のユーザ機器(UE)は第1のアクセスクラスと関連し、前記第2の複数のユーザ機器(UE)は1つ又は複数の追加のアクセスクラスと関連する、請求項９に記載の方法。
【請求項１２】
前記第1の接続情報はアクセスクラス除外パラメータを定義し、前記アクセスクラス除外パラメータは、前記1つ又は複数の追加のアクセスクラスを利用して、前記第2の複数のユーザ機器(UE)が前記第1の区分を介して前記進化型NodeB(eNB)との通信を確立するのを防止し、前記第2の接続情報はアクセスクラス除外パラメータを定義し、前記アクセスクラス除外パラメータは、前記第1のアクセスクラスを利用して、前記第1の複数のユーザ機器(UE)が前記第2の区分を介して前記進化型NodeB(eNB)との通信を確立するのを防止する、請求項１１に記載の方法。
【請求項１３】
前記第1の複数のユーザ機器(UE)は、前記第2の複数のユーザ機器(UE)よりも相対的により低いコストのユーザ機器(UE)であり、前記第1の無線インターフェイスの第1の制御チャネルフォーマットは、相対的により低いコストのユーザ機器(UE)のために設計される、請求項９に記載の方法。
【請求項１４】
前記第1の制御チャネルフォーマットは、前記第2の複数のユーザ機器(UE)が前記第1の区分を介して前記進化型NodeB(eNB)との通信を確立するのを防止するように設計され、前記第2の無線インターフェイスの第2の制御チャネルフォーマットは、前記第1の複数のユーザ機器(UE)が前記第2の区分を介して前記進化型NodeB(eNB)との通信を確立するのを防止するように設計される、請求項１３に記載の方法。
【請求項１５】
前記第1のシステム情報ブロック1(SIB1)のフォーマットは、前記第2の複数のユーザ機器(UE)が前記第1の区分を介して前記進化型NodeB(eNB)との通信を確立するのを防止するように構成され、前記第2のシステム情報ブロック1(SIB1)のフォーマットは、前記第1の複数のユーザ機器(UE)が前記第2の区分を介して前記進化型NodeB(eNB)との通信を確立するのを防止するように構成される、請求項１３に記載の方法。
【請求項１６】
前記第1のカテゴリーの通信は、前記第2のカテゴリーの通信よりも相対的により低いコストの実装のために設計されるマシン型通信(MTC)であり、前記第1の複数のユーザ機器(UE)は、すべてが、前記相対的により低いコストの実装のために設計されるマシン型通信(MTC)ユーザ機器(UE)である、請求項９乃至１５のいずれか１項に記載の方法。
【請求項１７】
複数の命令を含むコンピュータプログラムであって、前記複数の命令は、進化型NodeB(eNB)によって実行されると、前記進化型NodeB(eNB)に、
第1の区分を介して第1の複数のユーザ機器(UE)に第1の無線インターフェイスを通じて第1の接続情報を送信するステップであって、前記第1の区分は、第1のカテゴリーの通信と関連し、前記第1の接続情報は、前記第1の複数のユーザ機器(UE)が前記第1の区分を介して前記進化型NodeB(eNB)との通信を確立することを可能とするように構成される、第1の接続情報を送信するステップと、
第2の区分を介して第2の複数のユーザ機器(UE)に第2の無線インターフェイスを通じて第2の接続情報を送信するステップであって、前記第2の区分は、第2のカテゴリーの通信と関連し、前記第2の接続情報は、前記第2の複数のユーザ機器(UE)が前記第2の区分を介して前記進化型NodeB(eNB)との通信を確立することを可能とするように構成される、第2の接続情報を送信するステップとを実行させ、
前記第1の接続情報は第1のシステム情報ブロック1(SIB1)を含み、前記第2の接続情報は第2のシステム情報ブロック1(SIB1)を含み、前記第1のシステム情報ブロック1(SIB1)は、前記第2の複数のユーザ機器(UE)が前記第1の接続情報を構文解析することが可能となるのを防止するように構成され、前記第2のシステム情報ブロック1(SIB1)は、前記第1の複数のユーザ機器(UE)が前記第2の接続情報を構文解析することが可能となるのを防止するように構成され、前記第1の複数のユーザ機器(UE)は、前記第2の区分に対するアクセスを制限されるように構成され、前記第2の複数のユーザ機器(UE)のうちのユーザ機器(UE)のために、セカンダリーサービングセルが前記第1の区分の中に形成されていない場合に、前記第2の複数のユーザ機器(UE)は、前記第1の区分に対するアクセスを制限されるように構成される、
コンピュータプログラム。
【請求項１８】
前記第2の接続情報は、前記第1の区分のリソース情報を含むとともに前記第1の区分の中にセカンダリーサービングセルを指定し、前記複数の命令は、前記進化型NodeB(eNB)に、クロスキャリアスケジューリングにより前記第2の区分の中のプライマリーサービングセルによって、前記第1の区分の中の前記セカンダリーサービングセルをスケジューリングするステップをさらに実行させる、請求項１７に記載のコンピュータプログラム。
【請求項１９】
前記第1の複数のユーザ機器(UE)は第1のアクセスクラスと関連し、前記第2の複数のユーザ機器(UE)は1つ又は複数の追加のアクセスクラスと関連し、
前記第1の接続情報はアクセスクラス除外パラメータを定義し、前記アクセスクラス除外パラメータは、前記1つ又は複数の追加のアクセスクラスを利用して、前記第2の複数のユーザ機器(UE)が前記第1の区分を介して前記進化型NodeB(eNB)との通信を確立するのを防止し、前記第2の接続情報はアクセスクラス除外パラメータを定義し、前記アクセスクラス除外パラメータは、前記第1のアクセスクラスを利用して、前記第1の複数のユーザ機器(UE)が前記第2の区分を介して前記進化型NodeB(eNB)との通信を確立するのを防止する、請求項１７に記載のコンピュータプログラム。
【請求項２０】
前記第1の複数のユーザ機器(UE)は、前記第2の複数のユーザ機器(UE)よりも相対的により低いコストのユーザ機器(UE)であり、前記第1の無線インターフェイスの第1の制御チャネルフォーマットは、相対的により低いコストのユーザ機器(UE)のために設計され、
前記第1の制御チャネルフォーマットは、前記第2の複数のユーザ機器(UE)が前記第1の区分を介して前記進化型NodeB(eNB)との通信を確立するのを防止するように設計され、前記第2の無線インターフェイスの第2の制御チャネルフォーマットは、前記第1の複数のユーザ機器(UE)が前記第2の区分を介して前記進化型NodeB(eNB)との通信を確立するのを防止するように設計される、請求項１７に記載のコンピュータプログラム。
【請求項２１】
前記第1のカテゴリーの通信は、前記第2のカテゴリーの通信よりも相対的により低いコストの実装のために設計されるマシン型通信(MTC)であり、前記第1の複数のユーザ機器(UE)は、すべてが、前記相対的により低いコストの実装のために設計されるマシン型通信(MTC)ユーザ機器(UE)である、請求項１７乃至２０のいずれか１項に記載のコンピュータプログラム。
【請求項２２】
ユーザ機器(UE)であって、
トランシーバ回路及び該トランシーバ回路に接続される論理回路を含み、前記トランシーバ回路は、
第1の区分を介して進化型NodeB(eNB)から第1の制御チャネルフォーマットで第1の接続情報を受信し、
第2の区分を介して前記進化型NodeB(eNB)から第2の制御チャネルフォーマットで第2の接続情報を受信するように構成され、
前記論理回路は、
それぞれ、前記第1の区分を介して又は前記第2の区分を介して前記進化型NodeB(eNB)との通信を確立する際に利用する前記第1の接続情報又は前記第2の接続情報のうちの一方を決定するように構成され、
相対的に低いコストの実装のために設計される第1の複数のユーザ機器(UE)は、前記第2の区分に対するアクセスを制限されるように構成され、相対的に高いコストの実装のために設計される第2の複数のユーザ機器(UE)のうちのユーザ機器(UE)のために、セカンダリーサービングセルが前記第1の区分の中に形成されていない場合に、前記第2の複数のユーザ機器(UE)は、前記第1の区分に対するアクセスを制限されるように構成され、前記第1の接続情報は第1のシステム情報ブロック1(SIB1)を含み、前記第2の接続情報は第2のシステム情報ブロック1(SIB1)を含み、前記第1のシステム情報ブロック1(SIB1)は、前記第2の複数のユーザ機器(UE)が前記第1の接続情報を構文解析することが可能となるのを防止するように構成され、前記第2のシステム情報ブロック1(SIB1)は、前記第1の複数のユーザ機器(UE)が前記第2の接続情報を構文解析することが可能となるのを防止するように構成される、
ユーザ機器(UE)。
【請求項２３】
それぞれ、前記第1の区分を介して又は前記第2の区分を介して前記進化型NodeB(eNB)との通信を確立する際に利用する前記第1の接続情報又は前記第2の接続情報のうちの一方を決定することは、
当該ユーザ機器(UE)が、前記第1の接続情報又は前記第2の接続情報のうちの一方を復号可能であるか否か、及び
前記第1の接続情報又は前記第2の接続情報のうちの一方又は双方の中に格納されるアクセスクラス除外パラメータ、
のうちの1つ又は複数に基づく、請求項２２に記載のユーザ機器(UE)。
【請求項２４】
前記第1の制御チャネルフォーマットは第1のカテゴリーの通信のために設計され、前記第2の制御チャネルフォーマットは第2のカテゴリーの通信のために設計される、請求項22又は23のいずれかに記載のユーザ機器(UE)。
【請求項２５】
前記第1のカテゴリーの通信は前記第2のカテゴリーの通信よりも相対的により低いコストの実装のために設計されるマシン型通信(MTC)であり、当該ユーザ機器(UE)は、前記第1のカテゴリーの通信と関連する、請求項２４に記載のユーザ機器(UE)。
【請求項２６】
請求項１７乃至２１のいずれか１項に記載のコンピュータプログラムを格納しているコンピュータ読み取り可能な非一時的記憶媒体。
【発明の詳細な説明】
【技術分野】
【０００１】
本願は、2014年12月8日付の「通信帯域の区分と関連する技術及び構成」と題する米国特許出願14／563,930号に基づく優先権を主張するものであり、米国特許出願14／563,930号の内容は、それらの部分が本明細書と整合しない場合を除き、本願の参照として取り入れられる。
【０００２】
本開示の実施形態は、概して、無線通信の分野に関しており、より具体的には、通信帯域の区分に関している。
【背景技術】
【０００３】
背景技術の記載は、本開示の内容を一般的に提示する目的で本明細書に記載される。本明細書において異なる記載がされない限り、この背景技術の項目に記載される技術は、本願の請求項にかかる発明に対して先行技術とはならず、また、この項目に含めることにより先行技術となるということが認められるべきではない。
【０００４】
マシン型通信（MTC）は、新たに出現した将来性のある技術である。潜在的なMTCベースのアプリケーションは、高性能計測、医療用モニタリング、リモートセキュリティ監視、インテリジェント輸送システム等を含んでもよい。これらのサービス及びアプリケーションは、新たなタイプのMTCデバイスの設計及び開発を促し、新たなタイプのMTCデバイスは、LTE及びLTE-Advanced等の現世代及び次世代モバイルブロードバンドネットワークに統合される必要がある。
【０００５】
MTCデバイスの新たに出現したカテゴリーは、伝統的なMTCデバイス又はヒューマン型通信（HTC）用に設計されたデバイスよりも相対的により低コストの構造をサポートすることができるデバイスを含んでいる。そのような低コストMTCデバイスは、共通して、低コストMTC（LC-MTC）デバイスと称されてもよい。しかしながら、既存のモバイルブロードバンドネットワークは、主として、MTCではなく、HTCのための性能を増大させるように設計されてきた。上記の問題は、LC-MTCの設計を考慮する際に深刻化する可能性がある。現在、LC-MTCデバイスを含むこれらのデバイスのすべてが、同一のブロードバンドネットワーク上に併存しており、このような併存状態は、LC-MTCデバイスが実現することができるコストの低減を制限する可能性がある。
【図面の簡単な説明】
【０００６】
複数の実施形態は、添付の図面とともに以下の発明の詳細な説明により容易に理解されるであろう。この説明を容易にするために、同様の参照番号は同様の要素を指定する。複数の実施形態が、添付の図面の描画に限定する目的ではなく、一例として図示される。
【図１】本開示のさまざまな実施形態に従った無線通信環境を概略的に図示する図である。
【図２】本開示のさまざまな実施形態に従って区分される無線通信環境の例示的な描画である。
【図３】本開示のさまざまな実施形態にしたがって通信帯域を区分する進化型NodeB（eNB）によるプロセスを図示するフローチャートである。
【図４】本開示のさまざまな実施形態に従ったシステム情報ブロック（SIB）のサンプルである。
【図５】本明細書で説明されるさまざまな実施形態を実用化するのに使用されうる例示的なコンピューティングデバイスのブロック図である。
【発明を実施するための形態】
【０００７】
以下の詳細な説明では、同様の数字が一貫して同様の部分を指定する添付の図面が参照され、それらの添付の図面は、実用化されうる複数の実施形態の一部を形成し、それらの実施形態の一例として示される。本開示の範囲内で他の実施形態を用いることができ、また、構造的な変更或いは論理的な変更が本開示の範囲内でなされうるということを理解すべきである。
【０００８】
さまざまな演算が、複数の個別の動作として、又は、同様に、請求項に記載される主題を理解するのに最も役立つ方法で複数の演算として説明されてもよい。しかしながら、説明の順序は、これらの演算が必然的に順序に依存するということを示唆するように解釈されるべきではない。特に、これらの演算は、提示された順序で実行されなくてもよい。本明細書で説明される演算は、説明される実施形態とは異なる順序で実行されてもよい。さまざまな追加の演算が実行されてもよく、及び/又は説明される演算は、追加の実施形態において省略されてもよい。
【０００９】
本開示のために、「A及び/又はB」との記載は、（A）、（B）、又は（A及びB）を意味してもよい。本開示のために、「A、B、及び/又はC」との記載は、（A）、（B）、（C）、（A及びB）、（A及びC）、（B及びC）、又は（A、B、及びC）を意味してもよい。説明では、「１つの実施形態において（in  an  embodiment）」又は「複数の実施形態において（in  embodiments）」との記載を使用してもよく、これらの記載の各々は、同一の又は異なる複数の実施形態のうちの１つ又は複数を指してもよい。さらに、本開示の実施形態に関して使用される「含む（comprising）」、「包含する（including）」、「有する（having）」、及び他の同様の記載は、同義語である。
【００１０】
本明細書において使用されるように、「回路」の語は、1つ又は複数のソフトウェアプログラム又はファームウェアプログラムを実行する特定用途向け集積回路（ASIC）、電子回路、（共有プロセッサ、専用プロセッサ、又はグループプロセッサ等の）プロセッサ及び/又は（共有メモリ、専用メモリ、又はグループメモリ等の）メモリ、説明される機能を提供する組合せ論理回路及び/又は他の適切なハードウェア構成要素、それら自体を指してもよく、それらのハードウェア構成要素の一部であってもよく、又はそれらのハードウェア構成要素を含んでいてもよい。
【００１１】
上記で議論されているように、現時点において、低コストマシン型通信（LC-MTC）ユーザ機器（UE）、通常コストMTC  UE、及びヒューマン型通信（HTC）UEを含むすべてのデバイス又はすべてのユーザ機器（UE）が、同一の物理的セルの中に併存し、同一のリソースを使用している。この場合に、LC-MTC  UEのコスト節約を実現するため、これらのセルは、（わずか6又は15の物理リソースブロック（PRB）のバッファリング能力等の）物理層の制約のみならず、アップリンク送信及びダウンリンク送信の双方のための20dBまでのカバレッジ強化をサポートする必要がある。これらの制約及びカバレッジ強化の要求に対処するために、現行のLong  Term  Evolution（LTE）エアインターフェイスは、いくつかの変化を経験する必要がある。しかしながら、LC-MTC  UEの制約に対処し、かつ、LC-MTC  UEのカバレッジ強化の要求を満たすためのLTEエアインターフェイスに対するこれらの変化は、本明細書においては集合的に正規のUEと称される正規のMTC  UE又はヒューマン型通信UE等の他の非LC-MTC  UEの性能に影響を与える可能性がある。結果として、特にLC-MTC  UEのために策定される変化は、そのような変化が正規のUEに対して有している可能性がある有害な影響のために失敗に終わる可能性がある。これに対して、LC-MTC  UEの基本的な要求を満たすことは、正規のUNの性能に対して潜在的に多くの密接な関わり合いを有している。例えば、システム情報メッセージを6又は15の物理リソースブロック（PRB）に制限すると、搬送することができる情報量を過度に制限する可能性があり、又は正規のUEのためにシステム情報メッセージを設計する方法に影響を与える可能性がある。さらに、LC-MTCのための所望のカバレッジ強化レベルを達成するためには、（20dBのカバレッジ強化を達成するための100回又はそれ以上の反復等の）同一のブロードキャストメッセージの極めて大きな回数の反復を必要としうる。LTEネットワークにおけるLC-MTC配置は、正規のUEの性能に対するかなりの犠牲を伴うので、ネットワークオペレータは、LTEネットワークにおけるLC-MTC  UEの配置には移行しない傾向にある。
【００１２】
上記で議論された問題の結果として、効率的な方法でLC-MTC  UEの目標に対処する一方で、正規のUEの性能に有意な影響を与えないことを確実にすることが、LTEネットワークの中でのLC-MTC  UEの配置を実際に実行可能にするために望ましい。いくつかの実施形態において、利用可能なスペクトラムを通信の2つのカテゴリーに区分することで、LC-MTC  UEの目標を実現することが可能である。一方の区分は、LC-MTC通信のために設計され、他方の区分は、非LC-MTC通信のために設計される。
【００１３】
図1は、さまざまな実施形態に従った無線通信環境100を概略的に図示している。無線通信環境100は、進化型NodeB（eNB）104等のアクセスノードと無線通信を行うUE104を含む。eNB104は、第3世代パートナーシッププロジェクト（3GPP）ロングタームエボリューション（LTE）ネットワーク（LTE-Advanced（LTE-A）ネットワーク）の一部を構成していてもよい。特に、eNB104は、進化型ユニバーサル地上波無線アクセスネットワーク（E-UTRAN）等のLTEネットワーク/LTE-Aネットワークの無線アクセスネットワーク（RAN）の一部を構成していてもよい。E-UTRANは、進化型パケットコア（EPC）等のコアネットワークと接続されていてもよく、EPCは、LTEネットワーク/LTE-Aネットワークのさまざまな管理及び制御機能を実行し、そして、さらに、さまざまなRANと他のネットワークとの間の通信インターフェイスを提供する。
【００１４】
eNB104は、トランシーバ回路120を含み、トランシーバ回路120は、1つ又は複数のアンテナ130を介してUE108からアップリンク送信を受信し、また、1つ又は複数のアンテナ130を介してUE108にダウンリンク送信を送信する。eNB104は、さらに、トランシーバ回路120と接続される論理回路128を含んでもよい。いくつかの実施形態において、論理回路128は、UE108とeNB104との間で通信される信号を使用して送信される情報を符号化し及び復号するように構成されてもよい。論理回路128は、周波数帯域区分回路132によって構成されてもよく、周波数帯域区分回路132は、本明細書で説明される周波数帯域区分のプロセスのいずれかの部分を実行してもよい。
【００１５】
UE108は、トランシーバ回路144、論理回路152、及び１つ又は複数のアンテナ156を含んでもよい。トランシーバ回路144は、1つ又は複数のアンテナ156と接続されてもよく、1つ又は複数のアンテナ156は、eNB104からのダウンリンク送信を受信し、eNB104にアップリンク送信を送信してもよい。論理回路152は、トランシーバ回路144と接続されてもよく、UE108とeNB104との間で通信される信号を使用して送信される情報を符号化し及び復号するように構成されてもよい。論理回路152は、以下で説明されるプロセスのいずれかの部分を実行するように構成されてもよい。
【００１６】
図2は、本明細書のさまざまな実施形態に従って区分される無線通信ネットワーク200の例示的な図である。無線通信ネットワーク200は、eNB104の動作近傍の中の（UE204a乃至204d及びUE212a乃至212d等の）さまざまなUE及びeNB104を含んでいてもよい。本明細書中で使用されるように、動作近傍は、（eNB104等の）アクセスノードの周辺の近傍を含んでいてもよく、その近傍内のUEは、セルラネットワークにアクセスする際にそのアクセスノードを利用することができる。
【００１７】
複数の実施形態において、eNB104は、利用可能な通信帯域を区分し、第1のカテゴリーの通信と関連する第1の区分（区分A）及び第2のカテゴリーの通信と関連する第2の区分（区分B）を提供してもよい。例えば、LTEに関する実施形態において、利用可能な通信帯域は、1.4メガヘルツ（MHz）から20メガヘルツ（MHz）に至るまで広がっていてもよい。そのような実施形態において、eNB104は、上記の通信帯域を区分し、区分Aが1.4MHzに限定されるようにし、一方で、区分Bが通信帯域のうちの残りを包含するようにしてもよい。いくつかの実施形態において、第1のカテゴリーの通信は、第2のカテゴリーの通信と関連するデバイスよりも相対的により低いコストのデバイスのために設計される通信を含んでもよい。例えば、第1のカテゴリーの通信は、LC-MTC通信を含んでもよく、一方で、第2のカテゴリーの通信は、正規の、すなわち、非LC-MTC通信を含んでもよい。
【００１８】
いくつかの実施形態において、区分Aは、物理層（PHY）として知られる第1の無線インターフェイス206と関連していてもよい。対照的に、区分Bは、第2の無線インターフェイス208と関連していてもよい。上記の実施形態において、第1の無線インターフェイス206は、第1のカテゴリーの通信のために設計される第1の制御チャネルフォーマットを含んでもよく、一方で、第2の無線インターフェイス208は、第2のカテゴリーのために設計される第2の制御チャネルフォーマットを含んでもよい。
【００１９】
複数の実施形態において、eNB104は、UE204a乃至204dに区分Aを介して第1の制御チャネルフォーマットで第1の接続情報を図1のトランシーバ回路120等のトランシーバ回路によって送信してもよい。例えば、上記の送信は、プライマリーダウンリンク共有チャネル（PDSCH）送信等のブロードキャスト送信であってもよく、上記のブロードキャスト送信は、第1の制御チャネルフォーマットに適合されていてもよい。複数の実施形態において、例えば、UE204a乃至204dは、LC-MTC  UEを含んでいてもよい。UE204a乃至204dが区分Aを介してeNB104との通信を確立することが可能となるように、第1の接続情報を設計してもよい。eNB104は、UE212a乃至212dに区分Bを介して第2の制御チャネルフォーマットで第2の接続情報をトランシーバ回路によって送信してもよい。上記の送信は、例えば、PDSCH送信等のブロードキャスト送信であってもよい。複数の実施形態において、例えば、UE212a乃至212dは、正規の非LC-MTC  UEであってもよい。上記の実施形態において、LC-MTC  UEを区分Aに区分し、非LC-MTC  UEを区分Bに区分することにより、正規の非LC-MTC  UEの動作又は性能に影響を与えることなく、LC-MTCを収容する区分Aのための無線インターフェイスへの変更を実行してもよい。
【００２０】
いくつかの実施形態において、UE204a乃至204dは、区分Bを利用することを禁じられてもよく、UE212a乃至212dは、区分Aを利用することを禁じられてもよい。例えば、上記の除外は、UE212a乃至212dが区分Aを介してeNB104との通信を確立することを防ぐように第1の制御チャネルフォーマットを設計することにより達成することが可能である。上記に加えて、UE204a乃至204dが区分Bを介してeNB104との通信を確立することを防ぐように第2の制御チャネルフォーマットを設計してもよい。例えば、第1の制御チャネルフォーマットは、第1のシステム情報ブロック1（SIB1）フォーマットを含んでもよく、第2の制御チャネルフォーマットは、第2のシステム情報ブロック1（SIB1）フォーマットを含んでもよい。複数の実施形態において、第1のSIB1のフォーマットは、そのようなフォーマットで送信される接続情報をUE212a乃至212dが構文解析することが可能となるのを防止するように設計されてもよく、UE212a乃至212dが区分Aを介してeNB104と通信するのを防止する。加えて、第2のSIB1のフォーマットは、そのようなフォーマットで送信される接続情報をUE204a乃至204dが構文解析することが可能となるのを防止するように設計されてもよい。他の実施形態において、第1のSIB1及び第2のSIB1は同一のフォーマットを有していてもよいが、いずれの通信カテゴリーがその区分によってサポートされているかに関するインジケータを有していてもよい。以下で議論されるように、そのようなSIB1フォーマットは図4に示されている。他の実施形態において、メディアアクセス制御（MAC）に対する変更は、UE204a乃至204dをサポートすることを要求されてもよい。上記の実施形態において、区分Aと関連する第1のMAC及び区分Bと関連する第2のMACが存在してもよく、第1のMAC及び第2のMACは、上記で議論されたように、第1のSIB1及び第2のSIB1にたいして同様な方法で動作してもよい。
【００２１】
他の実施形態において、上記の除外は、アクセスクラス除外（ACB）メカニズムを利用することにより達成されてもよい。第3世代パートナーシッププロジェクト（3GPP）においては、ACBメカニズムはeNB104等のアクセスノードによって利用されてもよく、ランダムアクセスチャネル（RACH）を介してのUEからのアクセス試行をそのアクセスノードが制御するのを可能とする。複数のアクセスクラス（AC）は、現時点で0乃至15にわたって定義されている。（ac-BarringFactor/ac-BarringForEmergency/ac-BarringForSpecialAC等の）AC除外パラメータのブロードキャストにより、アクセスノードは、UEが割り当てられているアクセスクラスに基づくセルラネットワークへのUEのアクセスを制御してもよい。ac-BarringFactorは、UEが“持続性”テストを通過する確率である。UEによって生成される乱数がac-BarringFactorよりも小さい場合には、持続性テストを通過する。UEによって生成される乱数がac-BarringFactorと等しいか又は大きい場合には、アクセスが禁止される。
【００２２】
上記のアクセスクラス除外（ACB）メカニズムでは、UE212a乃至212dは、上記で議論されたように、アクセスクラス0乃至15と関連してもよい。これに対して、UE204a乃至204dは、LC-MTCアクセスのために新たに生成されるアクセスクラス16と関連していてもよい。例えば、複数の実施形態において、上記のアクセスクラスは、ac-BarringFactorForLCMTCと関連していてもよい。上記の実施形態において、第1の接続情報は、複数のアクセスクラス除外パラメータを定義してもよく、それらのアクセスクラス除外パラメータは、クラス0乃至15を利用して、UE212a乃至212dが区分Aを介してeNB104と通信を確立するのを防止してもよく、新たに生成されるクラス16を利用して、UE204a乃至204dが区分Aを介してeNB104と通信を確立するのを可能にしてもよい。次に、第2の接続情報は、複数のアクセスクラス除外パラメータを定義してもよく、それらのアクセスクラス除外パラメータは、アクセスクラス16を利用して、UE204a乃至204dが区分Bを介してeNB104と通信を確立するのを防止してもよく、アクセスクラス0乃至15を利用して、UE212a乃至212dが区分Bを介してeNB104と通信を確立するのを可能にしてもよい。
【００２３】
さらなる実施形態において、eNB104は、区分Aが完全には利用されていない場合に、区分Aを適時に利用するように構成されてもよい。上記の実施形態において、第2の接続情報は、区分Aに関するリソース情報を含んでもよく、区分Aに関するそのリソース情報は、区分Aをセカンダリーサービングセルとして指定し、区分Bをプライマリーサービングセルとして指定してもよい。区分A及び区分BのPDSCHフォーマット及び他の制御チャネルフォーマットが異ならない例において、eNB104は、クロスキャリアスケジューリングにより区分Aと区分Bとの間でキャリアアグリゲーションを実行するように構成されてもよい。他の実施形態において、区分Aが極めて低い又は非現存のLC-MTC  UEを有している場合に、eNB104は、区分Aをディアクティベートし、区分Aを区分Bと統合してもよい。例えば、LC-MTC  UEが時間的なあらかじめ規定された期間の間アクティブであると予想されるにすぎない場合に、上記の実施形態を利用してもよい。
【００２４】
図3は、本開示のさまざまな実施形態に従って通信帯域を区分する図1及び2のeNB104等の進化型NodeB（eNB）304のプロセスフローを図示するフローチャート300を図示している。プロセスフローはブロック308で開始してもよく、ブロック308において、eNB304は、周波数帯域を区分して、第1のカテゴリーの通信と関連する第1の区分、すなわち、区分A及び第2のカテゴリーの通信と関連する第2の区分、すなわち、区分Bを提供してもよい。上記の区分は、図2を参照して上記で説明された方法と同一の又は同様の方法で達成されてもよい。上記で説明されたように、いくつかの実施形態において、第1のカテゴリーの通信は、第2のカテゴリーの通信と関連するデバイスよりも相対的により低いコストのデバイスのために設計される通信を含んでもよい。例えば、第1のカテゴリーの通信は、LC-MTCを含んでもよく、一方で、第2のカテゴリーの通信は、正規の通信、すなわち、非LC-MTCを含んでもよい。
【００２５】
ブロック310において、区分Aのための第1の接続情報は、少なくとも（第1のカテゴリーの通信と関連するUE等の）区分Aを利用することを目的としているUEにeNB304によって送信されてもよい。ブロック312において、区分Bのための第2の接続情報は、少なくとも（第2のカテゴリーの通信と関連するUE等の）区分Bを利用することを目的としているUEにeNB304によって送信されてもよい。複数の実施形態において、区分Aのための第1の接続情報は、第1のカテゴリーの通信のために設計される第1の制御チャネルフォーマットで送信されてもよく、区分Aのための第2の接続情報は、第2のカテゴリーの通信のために設計される第2の制御チャネルフォーマットで送信されてもよい。上記の送信は、区分A及び区分Bのそれぞれの無線インターフェイスと関連するPDSCH送信等のブロードキャスト送信であってもよい。
【００２６】
第1の接続情報は、第1のカテゴリーの通信と関連するUEが区分Aを介してeNB304と通信を確立するのを可能にするように設計されてもよい。これに対して、第2の接続情報は、第2のカテゴリーの通信と関連するUEが区分Bを介してeNB304と通信を確立するのを可能にするように設計されてもよい。いくつかの実施形態において、上記で言及したように、第1のカテゴリーの通信は、LC-MTCであってもよく、結果として、区分Aを利用することを目的としているUEは、LC-MTC  UEであってもよい。第2のカテゴリーの通信は、正規の通信、すなわち、非LC-MTCであってもよく、結果として、区分Bを利用することを目的としているUEは、正規の、すなわち、非LC-MTC  UEであってもよい。上記の実施形態において、LC-MTC  UEを区分Aに区分し、非LC-MTC  UEを区分Bに区分することにより、正規の非LC-MTC  UEの動作又は性能に影響を与えることなく、LC-MTCを収容する区分Aのための無線インターフェイスへの変更を実行してもよい。
【００２７】
いくつかの実施形態において、第1のカテゴリーの通信と関連するUEは、区分Bを利用することを禁じられてもよく、第2のカテゴリーの通信と関連するUEは、区分Aを利用することを禁じられてもよい。例えば、上記の除外は、意図されたものではないUEがそれぞれの区分を介してeNB104との通信を確立することを防ぐようにそれぞれの制御チャネルフォーマットを設計することにより達成することが可能である。例えば、第1の制御チャネルフォーマットは、第1のシステム情報ブロック1（SIB1）フォーマットを含んでもよく、第2の制御チャネルフォーマットは、第2のシステム情報ブロック1（SIB1）フォーマットを含んでもよい。上記の実施形態において、第1のSIB1のフォーマットは、そのようなフォーマットで送信される接続情報を第2のカテゴリーの通信と関連するUEが構文解析することが可能となるのを防止するように設計されてもよく、第2のカテゴリーの通信と関連するUEが区分Aを介してeNB304と通信するのを防止してもよい。加えて、第2のSIB1のフォーマットは、そのようなフォーマットで送信される接続情報を第1のカテゴリーの通信と関連するUEが構文解析することが可能となるのを防止するように設計されてもよく、第1のカテゴリーの通信と関連するUEが区分Bを介してeNB304と通信するのを防止してもよい。
【００２８】
他の実施形態において、上記の除外は、図2を参照して上記で説明されたアクセスクラス除外（ACB）メカニズムを利用することにより達成されてもよい。上記の実施形態において、第1のカテゴリーの通信と関連するUEは、第1の接続情報を構文解析することが可能であってもよく、逆もまた同様である。しかしながら、アクセスクラス除外メカニズムは、第1のカテゴリーの通信と関連するUEが区分Bを介してeNB304との通信を確立するのを防止してもよく、逆もまた同様である。
【００２９】
ブロック314において、eNB304は、第1のカテゴリーの通信と関連するUEから区分Aを介してアクセス要求を受信してもよい。上記のアクセス要求は、ブロック310において第1のカテゴリーの通信と関連するUEに送信された第1の接続情報を利用して達成されてもよい。さらに、ブロック316において、eNB304は、第2のカテゴリーの通信と関連するUEから区分Bを介してアクセス要求を受信してもよい。上記のアクセス要求は、ブロック312で第2のカテゴリーの通信と関連するUEに送信された第2の接続情報を利用して達成されてもよい。これらのアクセス要求は、例えば、RACH送信によってeNB304に送信されてもよい。ブロック318において、アップリンク（UL）データ及びダウンリンク（DL）データは、第1のカテゴリーの通信と関連するUEとeNB304との間で区分Aを介して通信されてもよい。また、ブロック320において、ULデータ/DLデータは、第2のカテゴリーの通信と関連するUEとeNB304との間で区分Bを介して通信されてもよい。
【００３０】
さらなる実施形態において、eNB304は、区分Aが完全には利用されていない場合に、区分Aを適時に利用するように構成されてもよい。上記の実施形態において、第2の接続情報は、区分Aに関するリソース情報を含んでもよく、区分Aに関するそのリソース情報は、区分Aをセカンダリーサービングセルとして指定し、区分Bをプライマリーサービングセルとして指定してもよい。上記の実施形態において、eNB104は、クロスキャリアスケジューリングにより区分Aと区分Bとの間でキャリアアグリゲーションを実行するように構成されてもよい。
【００３１】
図4は、さまざまな実施形態に従ったシステム情報ブロックタイプ2（SIB2）400のサンプルである。いくつかの実施形態において、本明細書の他のいずれかの部分で説明されたeNBのうちの1つ等のeNBは、SIB2  400等のシステム情報メッセージを使用して、あるセルが、例えば、LC-MTC等の上記で説明された第1のカテゴリーの通信及び第2のカテゴリーの通信のうちの一方をサポートしているか否かに関する信号を送ってもよい。図から理解できるように、SIB400は、行402においてブール変数LC-MTC-supportedを示している。上記の変数は、LC-MTCがSIB2  400と関連する区分の中でサポートされているか否かを、UEに示してもよい。LC-MTCがサポートされているということをSIB2  400が示している場合には、LC-MTC  UEは、その関連する区分にアクセスすることを試みてもよく、一方、LC-MTCがサポートされていないということをSIB2  400が示している場合には、LC-MTC  UEは、その区分に接続を試みるのを制限されてもよい。さらに、LC-MTCがサポートされている場合には、正規の非LC-MTC  UEは、そのような区分に接続を試みるのを制限されてもよく、LC-MTCがサポートされていないということをSIB2  400が示している場合には、正規の非LC-MTC  UEは、その関連する区分を介してeNBにアクセスすることを試みてもよい。このため、関連する区分においてサポートされていないカテゴリーの通信と関連するUEは、たとえ、SIB2  400を復号又は構文解析することが可能であっても、その区分に接続を試みるのを制限されてもよい。
【００３２】
本明細書で説明されるUE108は、要求に応じて構成されるいずれかの適切なハードウェア、ファームウェア、及び/又はソフトウェアを使用して、1つのシステムに実装されてもよい。図5は、1つの実施形態として、図示されているように互いに接続される無線周波数（RF）回路504と、ベースバンド回路508と、アプリケーション回路512と、メモリ/記憶装置516と、ディスプレイ520と、カメラ524と、センサ528と、入力/出力（I/O）インターフェイス532とを含む例示的なシステム500を図示している。
【００３３】
アプリケーション回路512は、これには限定されないが、1つ又は複数のシングルコアプロセッサ又はマルチコアプロセッサ等の回路を含んでもよい。上記の1つ又は複数のプロセッサは、汎用プロセッサ及び（グラフィックスプロセッサ、アプリケーションプロセッサ等の）専用プロセッサのいずれかの組み合わせを含んでもよい。上記の1つ又は複数のプロセッサは、メモリ/記憶装置516と接続されてもよく、メモリ/記憶装置516の中に格納されている命令を実行して、さまざまなアプリケーション及び/又はオペレーティングシステムがシステム500上で実行されるのを可能にするように構成されてもよい。
【００３４】
ベースバンド回路508は、これには限定されないが、1つ又は複数のシングルコアプロセッサ又はマルチコアプロセッサ等の回路を含んでもよい。1つ又は複数のプロセッサは、ベースバンドプロセッサを含んでもよい。ベースバンド回路508は、さまざまな無線制御機能を取り扱ってもよく、それらの無線制御機能は、RF回路504を介しての1つ又は複数の無線ネットワークとの通信を可能にしてもよい。それらの無線制御機能は、これらには限定されないが、信号変調、符号化、復号化、及び無線周波数シフトを含んでもよい。いくつかの実施形態において、ベースバンド回路508は、1つ又は複数の無線技術と互換性のある通信を提供してもよい。いくつかの実施形態において、例えば、ベースバンド回路508は、次世代ユニバーサル移動体通信システム（UMTS）地上波無線アクセスネットワーク（E-UTRAN）及び/又は他の無線大都市圏ネットワーク（WMAN）、無線ローカルエリアネットワーク（WLAN）、又は無線パーソナルエリアネットワーク（WPAN）との通信をサポートしてもよい。1つ以上の無線プロトコルに従った無線通信をサポートするように構成されるベースバンド回路508は、マルチモードベースバンド回路と称されてもよい。
【００３５】
さまざまな実施形態において、ベースバンド回路508は、ベースバンド周波数帯域内に存在すると厳密には考えられていない信号を使用して動作する回路を含んでもよい。いくつかの実施形態において、例えば、ベースバンド回路508は、ベースバンド周波数と無線周波数との間にある中間周波数をもつ信号を使用して動作する回路を含んでもよい。
【００３６】
いくつかの実施形態において、トランシーバ回路144及び/又は論理回路152は、アプリケーション回路512及び/又はベースバンド回路508の中に実装されてもよい。
【００３７】
RF回路504は、非固形媒体を介する変調される電磁放射を使用して、無線ネットワークとの通信を可能にしてもよい。さまざまな実施形態において、RF回路504は、スイッチ、フィルタ、増幅器等を含み、無線ネットワークとの通信を可能にしてもよい。
【００３８】
さまざまな実施形態において、RF回路504は、無線周波数帯域内にあると厳密には考えられていない信号を使用して動作する回路を含んでもよい。いくつかの実施形態において、例えば、RF回路504は、ベースバンド周波数と無線周波数との間にある中間周波数をもつ信号を使用して動作する回路を含んでもよい。
【００３９】
いくつかの実施形態において、無線トランシーバ144は、RF回路504の中に実装されてもよい。
【００４０】
いくつかの実施形態において、ベースバンド回路508、アプリケーション回路512、及び/又はメモリ/記憶装置516の構成要素のいくつか又はすべては、1つのシステムオンチップ（SOC）の上にともに実装されてもよい。
【００４１】
メモリ/記憶装置516は、例えば、周波数帯域区分に関する命令510等のデータ及び/又は命令をロードし及び格納するのに使用されてもよく、周波数帯域区分に関する命令510は、本明細書で説明される区分プロセスのいずれかの部分を、システム500に実行させるように構成されてもよい。1つの実施形態のメモリ/記憶装置516は、（ダイナミックランダムアクセスメモリ（DRAM）等の）適切な揮発性メモリ及び/又は（フラッシュメモリ等の）適切な不揮発性メモリのいずれかの組み合わせを含んでもよい。
【００４２】
さまざまな実施形態において、I/Oインターフェイス532は、1つ又は複数のユーザインターフェイスを含んでもよく、それらの1つ又は複数のユーザインターフェイスは、システム500及び/又は複数の周辺構成要素のインターフェイスとのユーザインタラクションを可能とするように設計されてもよく、システム500及び/又は複数の周辺構成要素のインターフェイスは、システム500と周辺構成要素とのインタラクションを可能とするように設計されてもよい。ユーザインターフェイスは、これらには限定されないが、物理的なキーボード又はキーパッド、タッチパッド、スピーカ、マイクロフォン等を含んでもよい。周辺構成要素のインターフェイスは、これらには限定されないが、不揮発性メモリポート、ユニバーサルシリアルバス（USB）ポート、オーディオジャック、及び電力供給インターフェイス等を含んでもよい。
【００４３】
さまざまな実施形態において、センサ528は、1つ又は複数のセンサデバイスを含んでもよく、それらの1つ又は複数のセンサデバイスは、システム500に関連付けられる環境条件及び/又は位置情報を判定してもよい。いくつかの実施形態において、センサは、これらには限定されないが、ジャイロセンサ、加速度計、近接センサ、周辺光センサ、及び位置決定ユニットを含んでもよい。位置決定ユニットは、ベースバンド回路508及び/又はRF回路504の一部であってもよく、又はこれらの回路と相互作用してもよく、全地球的測位システム（GPS）衛星等の位置決定ネットワークと通信してもよい。
【００４４】
さまざまな実施形態において、ディスプレイ520は、（液晶ディスプレイ、タッチスクリーンディスプレイ等の）ディスプレイを含んでもよい。
【００４５】
さまざまな実施形態において、システム500は、これらには限定されないが、ラップトップコンピューティングデバイス、タブレットコンピューティングデバイス、ネットブック、ウルトラブック、スマートフォン等のモバイルコンピューティングデバイスであってもよい。さまざまな実施形態において、システム500は、より多くの又はより少ない構成要素及び/又は異なるアーキテクチャを有していてもよい。
例
【００４６】
以下の段落は、さまざまな実施形態の例を記載している。
【００４７】
例1は、進化型NodeB（eNB）であって、通信帯域を第1のカテゴリーの通信のための第1の区分及び第2のカテゴリーの通信のための第2の区分に区分し、前記第1の区分は第1の制御チャネルフォーマットと関連し、前記第2の区分は第2の制御チャネルフォーマットと関連する、論理回路と、前記論理回路と接続されるトランシーバ回路とを含み、該トランシーバ回路は、前記第1の区分を介して第1の複数のユーザ機器（UE）に前記第1の制御チャネルフォーマットで第1の接続情報を送信して、前記第1の複数のユーザ機器（UE）が前記第1の区分を介して当該進化型NodeB（eNB）との通信を確立するのを可能とし、前記第1の複数のユーザ機器（UE）は、前記第1のカテゴリーの通信のために構成され、前記第2の区分を介して第2の複数のユーザ機器（UE）に第2の制御チャネルフォーマットで第2の接続情報を送信して、前記第2の複数のユーザ機器（UE）が前記第2の区分を介して当該進化型NodeB（eNB）との通信を確立するのを可能とし、前記第2の複数のユーザ機器（UE）は、前記第2のカテゴリーの通信のために構成される、進化型NodeB（eNB）を含んでもよい。
【００４８】
例2は、例1の主題を含んでもよく、前記第2の接続情報は、前記第1の区分のリソース情報を含むとともに前記第1の区分をセカンダリーサービングセルとして指定し、前記論理回路は、さらに、クロスキャリアスケジューリングにより前記第1の区分と前記第2の区分との間でキャリアアグリゲーションを実行するように構成される、進化型NodeB（eNB）である。
【００４９】
例3は、例1及び例2のいずれか1つの主題を含んでもよく、前記第1の複数のユーザ機器（UE）は第1のアクセスクラスと関連し、前記第2の複数のユーザ機器（UE）は1つ又は複数の追加のアクセスクラスと関連する、進化型NodeB（eNB）である。
【００５０】
例4は、例3の主題を含んでもよく、前記第1の接続情報はアクセスクラス除外パラメータを定義し、前記アクセスクラス除外パラメータは、前記1つ又は複数の追加のアクセスクラスを利用して、前記第2の複数のユーザ機器（UE）が前記第1の区分を介して当該進化型NodeB（eNB）との通信を確立するのを防止し、前記第2の接続情報はアクセスクラス除外パラメータを定義し、前記アクセスクラス除外パラメータは、前記第1のアクセスクラスを利用して、前記第1の複数のユーザ機器（UE）が前記第2の区分を介して当該進化型NodeB（eNB）との通信を確立するのを防止する、進化型NodeB（eNB）である。
【００５１】
例5は、例1乃至例4のうちのいずれか1つの主題を含んでもよく、前記第1の複数のユーザ機器（UE）は、前記第2の複数のユーザ機器（UE）よりも相対的により低いコストのユーザ機器（UE）であり、前記第1の制御チャネルフォーマットは相対的により低いコストのユーザ機器（UE）のために設計される、進化型NodeB（eNB）である。
【００５２】
例6は、例5の主題を含んでもよく、前記第1の制御チャネルフォーマットは、前記第2の複数のユーザ機器（UE）が前記第1の区分を介して前記進化型NodeB（eNB）との通信を確立するのを防止するように設計され、前記第2の制御チャネルフォーマットは、前記第1の複数のユーザ機器（UE）が前記第2の区分を介して前記進化型NodeB（eNB）との通信を確立するのを防止するように設計される、進化型NodeB（eNB）である。
【００５３】
例7は、例5又は例6のいずれかの主題を含んでもよく、前記第1の接続情報は第1のシステム情報ブロック1（SIB1）を含み、前記第2の接続情報は第2のシステム情報ブロック1（SIB1）を含み、前記第1のシステム情報ブロック1（SIB1）のフォーマットは、前記第2の複数のユーザ機器（UE）が前記第1の区分を介して当該進化型NodeB（eNB）との通信を確立するのを防止するように構成され、前記第2のシステム情報ブロック1（SIB1）のフォーマットは、前記第1の複数のユーザ機器（UE）が前記第2の区分を介して当該進化型NodeB（eNB）との通信を確立するのを防止するように構成される、進化型NodeB（eNB）である。
【００５４】
例8は、例1乃至例7のいずれか1つの主題を含んでもよく、前記第1のカテゴリーの通信は、前記第2のカテゴリーの通信よりも相対的により低いコストの実装のために設計されるマシン型通信（MTC）であり、前記第1の複数のユーザ機器（UE）は、すべてが、前記相対的により低いコストの実装のために設計されるマシン型通信（MTC）ユーザ機器（UE）である、進化型NodeB（eNB）である。
【００５５】
例9は、方法であって、進化型NodeB（eNB）によって第1の区分を介して第1の複数のユーザ機器（UE）に第1の無線インターフェイスを通じて第1の接続情報を送信するステップであって、前記第1の区分は、第1のカテゴリーの通信と関連し、前記第1の接続情報は、前記第1の複数のユーザ機器（UE）が前記第1の区分を介して前記進化型NodeB（eNB）との通信を確立することを可能とするように構成される、第1の接続情報を送信するステップと、前記進化型NodeB（eNB）によって第2の区分を介して第2の複数のユーザ機器（UE）に第2の無線インターフェイスを通じて第2の接続情報を送信するステップであって、前記第2の区分は、第2のカテゴリーの通信と関連し、前記第2の接続情報は、前記第2の複数のユーザ機器（UE）が前記第2の区分を介して前記進化型NodeB（eNB）との通信を確立することを可能とするように構成される、第2の接続情報を送信するステップとを含む、方法である。
【００５６】
例10は、例9の主題を含んでもよく、前記第2の接続情報は、前記第1の区分のリソース情報を含むとともに前記第1の区分をセカンダリーサービングセルとして指定し、当該方法は、前記進化型NodeB（eNB）によってクロスキャリアスケジューリングにより前記第1の区分と前記第2の区分との間でキャリアアグリゲーションを実行するステップをさらに含む、方法である。
【００５７】
例11は、例9又は例10のいずれかの主題を含んでもよく、前記第1の複数のユーザ機器（UE）は第1のアクセスクラスと関連し、前記第2の複数のユーザ機器（UE）は1つ又は複数の追加のアクセスクラスと関連する、方法である。
【００５８】
例12は、例11の主題を含んでもよく、前記第1の接続情報はアクセスクラス除外パラメータを定義し、前記アクセスクラス除外パラメータは、前記1つ又は複数の追加のアクセスクラスを利用して、前記第2の複数のユーザ機器（UE）が前記第1の区分を介して前記進化型NodeB（eNB）との通信を確立するのを防止し、前記第2の接続情報はアクセスクラス除外パラメータを定義し、前記アクセスクラス除外パラメータは、前記第1のアクセスクラスを利用して、前記第1の複数のユーザ機器（UE）が前記第2の区分を介して前記進化型NodeB（eNB）との通信を確立するのを防止する、方法である。
【００５９】
例13は、例9乃至例12のいずれか1つの主題を含んでもよく、前記第1の複数のユーザ機器（UE）は、前記第2の複数のユーザ機器（UE）よりも相対的により低いコストのユーザ機器（UE）であり、前記第1の無線インターフェイスの第1の制御チャネルフォーマットは、相対的により低いコストのユーザ機器（UE）のために設計される、方法である。
【００６０】
例14は、例13の主題を含んでもよく、前記第1の制御チャネルフォーマットは、前記第2の複数のユーザ機器（UE）が前記第1の区分を介して前記進化型NodeB（eNB）との通信を確立するのを防止するように設計され、前記第2の無線インターフェイスの第2の制御チャネルフォーマットは、前記第1の複数のユーザ機器（UE）が前記第2の区分を介して前記進化型NodeB（eNB）との通信を確立するのを防止するように設計される、方法である。
【００６１】
例15は、例13又は例14のいずれかの主題を含んでもよく、前記第1の接続情報は第1のシステム情報ブロック1（SIB1）を含み、前記第2の接続情報は第2のシステム情報ブロック1（SIB1）を含み、前記第1のシステム情報ブロック1（SIB1）のフォーマットは、前記第2の複数のユーザ機器（UE）が前記第1の区分を介して前記進化型NodeB（eNB）との通信を確立するのを防止するように構成され、前記第2のシステム情報ブロック1（SIB1）のフォーマットは、前記第1の複数のユーザ機器（UE）が前記第2の区分を介して前記進化型NodeB（eNB）との通信を確立するのを防止するように構成される、方法である。
【００６２】
例16は、例9乃至例15のいずれか1つの主題を含んでもよく、前記第1のカテゴリーの通信は、前記第2のカテゴリーの通信よりも相対的により低いコストの実装のために設計されるマシン型通信（MTC）であり、前記第1の複数のユーザ機器（UE）は、すべてが、前記相対的により低いコストの実装のために設計されるマシン型通信（MTC）ユーザ機器（UE）である、方法である。
【００６３】
例17は、複数の命令を格納している1つ又は複数のコンピュータ読み取り可能な非一時的記憶媒体であって、進化型NodeB（eNB）によって実行されると、前記複数の命令は、前記進化型NodeB（eNB）に、第1の区分を介して第1の複数のユーザ機器（UE）に第1の無線インターフェイスを通じて第1の接続情報を送信するステップであって、前記第1の区分は、第1のカテゴリーの通信と関連し、前記第1の接続情報は、前記第1の複数のユーザ機器（UE）が前記第1の区分を介して前記進化型NodeB（eNB）との通信を確立することを可能とするように構成される、第1の接続情報を送信するステップと、第2の区分を介して第2の複数のユーザ機器（UE）に第2の無線インターフェイスを通じて第2の接続情報を送信するステップであって、前記第2の区分は、第2のカテゴリーの通信と関連し、前記第2の接続情報は、前記第2の複数のユーザ機器（UE）が前記第2の区分を介して前記進化型NodeB（eNB）との通信を確立することを可能とするように構成される、第2の接続情報を送信するステップとを実行させる、1つ又は複数のコンピュータ読み取り可能な非一時的記憶媒体である。
【００６４】
例18は、例17の主題を含んでもよく、前記第2の接続情報は、前記第1の区分のリソース情報を含むとともに前記第1の区分をセカンダリーサービングセルとして指定し、前記複数の命令は、前記進化型NodeB（eNB）に、クロスキャリアスケジューリングにより前記第1の区分と前記第2の区分との間でキャリアアグリゲーションを実行するステップをさらに実行させる、1つ又は複数のコンピュータ読み取り可能な非一時的記憶媒体である。
【００６５】
例19は、例17又は例18のいずれかの主題を含んでもよく、前記第1の複数のユーザ機器（UE）は第1のアクセスクラスと関連し、前記第2の複数のユーザ機器（UE）は1つ又は複数の追加のアクセスクラスと関連し、前記第1の接続情報はアクセスクラス除外パラメータを定義し、前記アクセスクラス除外パラメータは、前記1つ又は複数の追加のアクセスクラスを利用して、前記第2の複数のユーザ機器（UE）が前記第1の区分を介して前記進化型NodeB（eNB）との通信を確立するのを防止し、前記第2の接続情報はアクセスクラス除外パラメータを定義し、前記アクセスクラス除外パラメータは、前記第1のアクセスクラスを利用して、前記第1の複数のユーザ機器（UE）が前記第2の区分を介して前記進化型NodeB（eNB）との通信を確立するのを防止する、1つ又は複数のコンピュータ読み取り可能な非一時的記憶媒体である。
【００６６】
例20は、例17乃至例19のいずれか１つの主題を含んでもよく、前記第1の複数のユーザ機器（UE）は、前記第2の複数のユーザ機器（UE）よりも相対的により低いコストのユーザ機器（UE）であり、前記第1の無線インターフェイスの第1の制御チャネルフォーマットは、相対的により低いコストのユーザ機器（UE）のために設計され、
前記第1の制御チャネルフォーマットは、前記第2の複数のユーザ機器（UE）が前記第1の区分を介して前記進化型NodeB（eNB）との通信を確立するのを防止するように設計され、前記第2の無線インターフェイスの第2の制御チャネルフォーマットは、前記第1の複数のユーザ機器（UE）が前記第2の区分を介して前記進化型NodeB（eNB）との通信を確立するのを防止するように設計される、1つ又は複数のコンピュータ読み取り可能な非一時的記憶媒体である。
【００６７】
例21は、例17乃至例20のいずれか1つの主題を含み、前記第1のカテゴリーの通信は、前記第2のカテゴリーの通信よりも相対的により低いコストの実装のために設計されるマシン型通信（MTC）であり、前記第1の複数のユーザ機器（UE）は、すべてが、前記相対的により低いコストの実装のために設計されるマシン型通信（MTC）ユーザ機器（UE）である、1つ又は複数のコンピュータ読み取り可能な非一時的記憶媒体である。
【００６８】
例22は、ユーザ機器（UE）であって、トランシーバ回路及び該トランシーバ回路に接続される論理回路を含み、前記トランシーバ回路は、第1の区分を介して進化型NodeB（eNB）から第1の制御チャネルフォーマットで第1の接続情報を受信し、第2の区分を介して前記進化型NodeB（eNB）から第2の制御チャネルフォーマットで第2の接続情報を受信するように構成され、前記論理回路は、それぞれ、前記第1の区分を介して又は前記第2の区分を介して前記進化型NodeB（eNB）との通信を確立する際に利用する前記第1の接続情報又は前記第2の接続情報のうちの一方を決定するように構成される、ユーザ機器（UE）である。
【００６９】
例23は、例22の主題を含んでもよく、それぞれ、前記第1の区分を介して又は前記第2の区分を介して前記進化型NodeB（eNB）との通信を確立する際に利用する前記第1の接続情報又は前記第2の接続情報のうちの一方を決定することは、当該ユーザ機器（UE）が、前記第1の接続情報又は前記第2の接続情報のうちの一方を復号可能であるか否か、及び、前記第1の接続情報又は前記第2の接続情報のうちの一方又は双方の中に格納されるアクセスクラス除外パラメータ、のうちの1つ又は複数に基づく、ユーザ機器（UE）である。
【００７０】
例24は、例22又は例23のいずれかの主題を含んでもよく、前記第1の制御チャネルフォーマットは第1のカテゴリーの通信のために設計され、前記第2の制御チャネルフォーマットは第2のカテゴリーの通信のために設計される、ユーザ機器（UE）である。
【００７１】
例25は、例24の主題を含んでもよく、前記第1のカテゴリーの通信は前記第2のカテゴリーの通信よりも相対的により低いコストの実装のために設計されるマシン型通信（MTC）であり、当該ユーザ機器（UE）は、前記第1のカテゴリーの通信と関連する、ユーザ機器（UE）である。
【００７２】
例26は、進化型NodeB（eNB）であって、第1の区分を介して第1の複数のユーザ機器（UE）に第1の無線インターフェイスを通じて第1の接続情報を送信する手段であって、前記第1の区分は、第1のカテゴリーの通信と関連し、前記第1の接続情報は、前記第1の複数のユーザ機器（UE）が前記第1の区分を介して前記進化型NodeB（eNB）との通信を確立することを可能とするように構成される、第1の接続情報を送信する手段と、第2の区分を介して第2の複数のユーザ機器（UE）に第2の無線インターフェイスを通じて第2の接続情報を送信する手段であって、前記第2の区分は、第2のカテゴリーの通信と関連し、前記第2の接続情報は、前記第2の複数のユーザ機器（UE）が前記第2の区分を介して前記進化型NodeB（eNB）との通信を確立することを可能とするように構成される、第2の接続情報を送信する手段とを含む、進化型NodeB（eNB）である。
【００７３】
例27は、例26の主題を含んでもよく、前記第2の接続情報は、前記第1の区分のリソース情報を含むとともに前記第1の区分をセカンダリーサービングセルとして指定し、当該進化型NodeB（eNB）は、クロスキャリアスケジューリングにより前記第1の区分と前記第2の区分との間でキャリアアグリゲーションを実行する手段をさらに含む、進化型NodeB（eNB）である。
【００７４】
例28は、例26の主題を含んでもよく、前記第1の複数のユーザ機器（UE）は第1のアクセスクラスと関連し、前記第2の複数のユーザ機器（UE）は1つ又は複数の追加のアクセスクラスと関連する、進化型NodeB（eNB）である。
【００７５】
例29は、例28の主題を含んでもよく、前記第1の接続情報はアクセスクラス除外パラメータを定義し、前記アクセスクラス除外パラメータは、前記1つ又は複数の追加のアクセスクラスを利用して、前記第2の複数のユーザ機器（UE）が前記第1の区分を介して前記進化型NodeB（eNB）との通信を確立するのを防止し、前記第2の接続情報はアクセスクラス除外パラメータを定義し、前記アクセスクラス除外パラメータは、前記第1のアクセスクラスを利用して、前記第1の複数のユーザ機器（UE）が前記第2の区分を介して前記進化型NodeB（eNB）との通信を確立するのを防止する、進化型NodeB（eNB）である。
【００７６】
例30は、例26の主題を含んでもよく、前記第1の複数のユーザ機器（UE）は、前記第2の複数のユーザ機器（UE）よりも相対的により低いコストのユーザ機器（UE）であり、前記第1の無線インターフェイスの第1の制御チャネルフォーマットは、相対的により低いコストのユーザ機器（UE）のために設計される、進化型NodeB（eNB）である。
【００７７】
例31は、例30の主題を含んでもよく、前記第1の制御チャネルフォーマットは、前記第2の複数のユーザ機器（UE）が前記第1の区分を介して前記進化型NodeB（eNB）との通信を確立するのを防止するように設計され、前記第2の無線インターフェイスの第2の制御チャネルフォーマットは、前記第1の複数のユーザ機器（UE）が前記第2の区分を介して前記進化型NodeB（eNB）との通信を確立するのを防止するように設計される、進化型NodeB（eNB）である。
【００７８】
例32は、例30の主題を含んでもよく、前記第1の接続情報は第1のシステム情報ブロック1（SIB1）を含み、前記第2の接続情報は第2のシステム情報ブロック1（SIB1）を含み、前記第1のシステム情報ブロック1（SIB1）のフォーマットは、前記第2の複数のユーザ機器（UE）が前記第1の区分を介して前記進化型NodeB（eNB）との通信を確立するのを防止するように構成され、前記第2のシステム情報ブロック1（SIB1）のフォーマットは、前記第1の複数のユーザ機器（UE）が前記第2の区分を介して前記進化型NodeB（eNB）との通信を確立するのを防止するように構成される、進化型NodeB（eNB）である。
【００７９】
例33は、例26乃至例32のいずれか1つの主題を含んでもよく、前記第1のカテゴリーの通信は、前記第2のカテゴリーの通信よりも相対的により低いコストの実装のために設計されるマシン型通信（MTC）であり、前記第1の複数のユーザ機器（UE）は、すべてが、前記相対的により低いコストの実装のために設計されるマシン型通信（MTC）ユーザ機器（UE）である、進化型NodeB（eNB）である。
【００８０】
要約に記載されている事項を含む、例示的な実装の上記の記載は、本開示の実施形態を開示されている厳密な形式に限定する意図を有しているものではない。本明細書では、例示的な目的で特定の実装及び例を説明しているが、関連する技術分野の当業者であれば認識することができるように、本開示の範囲内でさまざまな等価な変更が可能である。上記の詳細な説明を考慮して本開示にこれらの変更を加えることが可能である。
【図１】
0006423015.tif 000002
【図２】
0006423015.tif 000003
【図３】
0006423015.tif 000004
【図４】
0006423015.tif 000005
【図５】
0006423015.tif 000006